(57)【要約】【課題】天井裏や壁面内に張り巡らされた配線を通じて、屋内の別の場所に設置された電源装置や、システム制御部を備えたコントローラー等と接続されて使用される屋内設置機器において、配線導入口から、虫やホコリが簡単に侵入することを防止する。【解決手段】機器側の配線導入口の周辺部に、取り付け面と接触する面よりも一段低くなるような凹部を設け、その凹部には、機器を取り付け面に固定したときに、その凹部に圧縮されて収まり、機器側の配線導入口を塞ぐような軟質材（スポンジ）を充填した。【選択図】図１
2004012227.tif 000002
【特許請求の範囲】
【請求項１】
屋内の天井や壁面等の取り付け面から機器内に直接配線を導入し、その場所に、露出した状態にて固定して用いる屋内設置機器において、機器側の配線導入口の周辺部に、取り付け面と接触する面よりも一段低くなるような凹部を設け、その凹部には、機器を取り付け面に固定したときに、その凹部に圧縮されて収まり、機器側の配線導入口を塞ぐような軟質材を充填したことを特徴とする屋内設置機器の構造。
【請求項２】
前記軟質材は、機器側の配線導入口に対応する箇所に、切り込みを入れたスポンジ状の材料により構成されていることを特徴とする請求項１に記載の屋内設置機器の構造。
【発明の詳細な説明】
【０００１】
【発明の属する技術分野】
本発明は、配線導入口を備えた屋内設置機器に関するものであり、特にその配線導入口からの虫の侵入を防ぐための構造に関するものである。
【０００２】
【従来の技術】
屋内に設置して用いる防犯システム用の侵入者検知器等は、天井裏や壁面内に張り巡らされた配線を通じて、屋内の別の場所に設置された電源装置や、システム制御部を備えたコントローラー等と接続されている。電源線や警報信号伝送線は、侵入犯による細工を防止するため、外部に露出しないようにしており、侵入者検知器、電源装置、コントローラー等との接続部もそれぞれの機器内部に収納されている。
【０００３】
各機器への配線は、天井ボードや壁面にあけられた穴から導出された線を、機器の取り付け面側に設けられた配線導入口から直接取り込む形でおこなわれる。
このため、設置後の各機器には、天井裏や壁面内に生息する蜘蛛や蟻、ゴキブリ等の虫が、この配線導入口を通って簡単に侵入することができ、侵入者検知器の中でこれらの虫が動き回ることによって起こる誤動作や、虫の排泄物、虫の死骸が、プリント基板等の内部電気回路部品等を腐食することによって引き起こされる、機器の誤動作や故障等が問題となっていた。
【０００４】
このような問題を解決するため、ゴム製のグロメットで機器の配線導入部を塞いでおき、導入する配線径に応じた開口部をその都度開けて線を通す方法や、虫が嫌がる害虫防除剤を、開口部に塗布したり、線を通した後で開口部にコーキング材を充填して密閉したりする方法を採用していた。
また、機器本体と、固定用のベース部分を分離した構造を採用して、ベース部分に設けた端子台などに、導入した配線を接続し、端子台からの複数の線を、ベース部分と機器本体に設けた密閉型の多極コネクターを介して、機器内部への導入させる方法も採用していた。
【０００５】
【発明が解決しようとする課題】
本発明は、機器本体と、固定用のベース部分とが分離されない構造を採用した屋内設置機器において、一定水準以上の防虫性能を持たせることを目的とするものである。
【０００６】
【課題を解決するための手段】
機器側の配線導入口の周辺部に、取り付け面と接触する面よりも一段低くなるような凹部を設け、その凹部には、機器を取り付け面に固定したときに、その凹部に圧縮されて収まり、機器側の配線導入口を塞ぐような軟質材を充填した。
【０００７】
【発明の実施の形態】
図１は、本発明の構造を採用した屋内設置機器の代表例として、受動型赤外線検知器（防犯システム用の侵入者検知器）の構成を示した図である。天井に固定して使用するタイプの、施工前の各部の概略を示した断面図である。
電子部品を実装したプリント基板、赤外線エネルギーを焦電型赤外線検出素子に収束させる光学系（いずれも図示省略）等を備えた円盤形のシャーシ２と、赤外線エネルギーを透過させる材料で形成されたドーム型をしたカバー３とで構成された受動型赤外線検知器が、天井ボード６に固定されるところを示している。
【０００８】
天井ボード６に開けられた天井開口部７から配線８が導出されている。シャーシ２の配線導入口９の周辺部には、天井ボード（取り付け面）と接触する面よりも一段低くなるような凹部５が設けられており、ここには、スポンジ状の材料により構成された軟質材１が、配置されている。この軟質材１の厚みは、凹部５の深さよりも大きくなっている。天井開口部７から導出された配線８は、軟質材１に設けられた切り込み部１０を通って、配線導入口９からシャーシ２の内部に引き込まれ、プリント基板上の端子台（図示省略）に結線される。
シャーシ２は、取り付けネジ４によって天井ボード６に固定され、カバー３がシャーシ２に取り付けられる。
【０００９】
図２は、以上の手順を経て施工された後の受動型赤外線検知器の構成を示した図である。軟質材１は、シャーシ２と天井ボード６とで挟まれて圧縮され、切り込み部１０は、配線８に密着する形となる。そして、この部分の開口スペースはなくなり、虫やホコリは通過することができなくなる。
【００１０】
取り付けネジ４は、軟質材１を貫通する形で天井ボード６に固定されている。
シャーシ２に設けられたネジ穴は、円盤形をしたシャーシの同心円に沿った位置に形成された長穴となっている。このため、取り付けネジを緩めるだけで、検知器は長穴に沿った範囲だけ回転可能となり、受動型赤外線検知器の検知エリアの方向（検知器の感度を有する方向）のうち、水平方向の向きを調整することができる。取り付けネジ４は、軟質材１を貫通して取り付け面に固定されていて、軟質材は天井ボード側に固定されたまま動かないので、軟質材１には余分な開口部が形成されることがない。従って、長穴部のうち、取り付けネジ４が固定される部分以外の部分の天井ボードが、開口部となっていても、ネジ穴を含む取り付け面全体が軟質材１によって覆われる形が維持されており、虫やほこりが検知器内に侵入することはない。
【００１１】
天井や壁面に、埋込配管用のスイッチボックスやコンクリートボックスを埋込み、これらのボックスに受動型赤外線検知器のシャーシ２を直接ネジ止めすることがある。このようなボックスは、長穴の取り付けネジ４に対応する部分以外の部分が、開口部となっていて、従来のものでは、虫の侵入のおそれがあったが、本発明のものでは、その侵入を防止することできる。
【００１２】
軟質材１は、その直径をシャーシ２の凹部５の直径とほぼ同じ大きさとしてあるので、壁面に固定しようとして、シャーシ２を立てても簡単に落下してしまうことが無く、軟質材１を、落下しないように保持しながら取り付けネジ４を回すといった複雑な施工手順を踏む必要性もない。
【００１３】
【発明の効果】
本発明の屋内設置機器の構造によれば、配線導入口からの虫の侵入を防止することができ、受動型赤外線検知器の中で、侵入した虫が動き回ることによって起こる誤動作や、虫の排泄物、虫の死骸が、プリント基板等の内部電気回路部品等を腐食することによって引き起こされる、機器の誤動作や故障等が、回避される。
【００１４】
軟質材が配線導入口を塞ぐので、風の流入を防止することができ、天井裏や壁面内から、受動型赤外線検知器の中へ、検知器内部の温度と異なった温度の空気が流れ込むことによって引き起こされる誤動作が無くなる。
また、スポンジ等の軟質材が、フィルターの役目をなし、機器内部にホコリが侵入しないので、ホコリが受動型赤外線検知器内の光学系を汚すことによって起こされる検知感度の低下や、プリント基板等に付着することによって起こる、絶縁不良等による電気回路上の誤動作がなくなる。
【００１５】
また、軟質材が天井または壁面と機器本体との間に圧縮された状態にて介在することになるので、この間の摩擦が大きくなり、施工が強固になるという効果が得られる。このことは、ネジ穴が、円盤形をしたシャーシの同心円に沿った位置に形成された長穴となっている受動型赤外線検知器において、施工後は、容易には、その水平方向の向きを変更することができないということを示している。
【図面の簡単な説明】
【図１】本発明の構造を採用した受動型赤外線検知器の構成を示した図である。
【図２】本発明の構造を採用した受動型赤外線検知器を、天井に取り付けた状態を示した図である。
【符号の説明】
１・・・軟質材
２・・・シャーシ
３・・・カバー
４・・・取り付けネジ
５・・・凹部
６・・・天井ボード
７・・・天井開口部
８・・・配線
９・・・配線導入口
１０・・・切り込み部
【図１】
2004012227.tif 000003
【図２】
2004012227.tif 000004